(57)【要約】【課題】  大容量のコンデンサを搭載したことによる大電流供給時の電気的弊害を抑制すること。【解決手段】  ２つの筐体２，３を重ね合わせてなるとともに２つの筐体２，３のいずれか１つにコンデンサ２０からの電力によって外方に閃光を照射する照明部を搭載した携帯端末１において、照明部を搭載した筐体３に照明部を発光させるためのキセノン管１９及びコンデンサ２０を搭載するとともに、コンデンサ２０に電力を供給するバッテリーセルを搭載することを特徴とする。【選択図】    図７
2007013498.tif 000002
【特許請求の範囲】
【請求項１】
２つの筐体を開閉可能に連結すると共に、コンデンサ及び当該コンデンサからの電力によって外方に閃光を照射する照明部を前記２つの筐体のいずれか一方の筐体に設けたことを特徴とする携帯端末。
【請求項２】
前記一方の筐体に、前記コンデンサに電力を供給するバッテリーセルを配置したことを特徴とする請求項１に記載の携帯端末。
【請求項３】
前記一方の筐体内に、前記コンデンサを収容するために一部を切り欠いた切欠部を有する基板を備えることを特徴とする請求項１又は請求項２に記載の携帯端末。
【発明の詳細な説明】
【技術分野】
【０００１】
この発明は、携帯電話機、ＰＤＡ (Personal Digital Assistants)、デジタルカメラ等の閃光機能を搭載した携帯端末に関する。
【背景技術】
【０００２】
近年の携帯電話機やＰＤＡ、デジタルカメラ等の携帯端末には、暗所での撮影を可能とするストロボ装置（照明部）と、携帯端末を構成する携帯機器本体の内部に設けられ、ストロボ装置等の制御を行う各種電子部品と、ストロボ装置や各種電子部品に電力を供給するバッテリーセルが設けられている（例えば、特許文献１参照）。従来、携帯端末に搭載されるストロボ装置としては、キセノン管を用いて光量の大きい閃光を発生させるものがある。そして、このようなストロボ装置を採用する場合には、携帯機器本体の内部に電気容量の大きいコンデンサを配置していた。
【特許文献１】特開２００１−３２０６２２号公報
【発明の開示】
【発明が解決しようとする課題】
【０００３】
しかしながら、上記従来の携帯端末において、ストロボ装置から閃光を発生させる際には、コンデンサから大電流が流れてノイズが発生しやすくなるため、携帯機器本体の内部に配された電子部品の誤動作を招く虞がある。特に、携帯端末が携帯電話機等のように無線手段を備える場合には、前述したノイズが無線通信に悪影響を及ぼすという問題がある。
本発明の目的は、上述した事情に鑑みてなされたもので、大容量のコンデンサを搭載したことによる大電流供給時の電気的弊害を抑制することである。
【課題を解決するための手段】
【０００４】
本発明は、上記課題を解決するため、以下の手段を採用する。すなわち本発明は、携帯端末において、２つの筐体を開閉可能に連結すると共に、コンデンサ及び当該コンデンサからの電力によって外方に閃光を照射する照明部を前記２つの筐体のいずれか一方の筐体に設けたことを特徴とする。
【０００５】
また、本発明は、上記携帯端末において、前記一方の筐体に、前記コンデンサに電力を供給するバッテリーセルを配置したことを特徴とする。
【０００６】
また、本発明は、上記携帯端末において、前記一方の筐体内に、前記コンデンサを収容するために一部を切り欠いた切欠部を有する基板を備えることを特徴とする。
【発明の効果】
【０００７】
本発明の携帯端末によれば、このような構成としたことで、２つの筐体のいずれか１つの筐体から別の筐体に大電流が供給されることがなくなるので、携帯端末への大電流供給時による電気的弊害を抑制することができる。
【発明を実施するための最良の形態】
【０００８】
以下、本発明の実施の形態について、図１〜図７を参照して説明する。なお、本実施の形態においては、カメラ及びカメラ用ストロボ装置付の水平方向開閉型の携帯電話機について説明するものであるが、開閉方向を限定するものではなく、また、開閉型以外のいかなる携帯電話機にも適用可能である。さらに本発明の電子機器は、携帯電話機に限定するものではなく、筐体の外部に情報を出力し、あるいは筐体の外部から電子部品に情報を入力する携行可能な電子機器にも適用可能である。
【０００９】
図１及び図２は、携帯電話機１を簡略化した斜視図である。この携帯電話機１は、２つの筐体、すなわち第１の筐体２と第２の筐体３とからなる開閉型の携帯電話機である。これら第１の筐体２の基端と第２の筐体３の基端とは連結部４によって連結されており、２つの筐体２，３を重ね合わせた閉状態から開状態とするためには、連結部４を中心に１８０°回動させる。この開状態においては、２つの筐体２，３の対向面が外部に露出することになる。
第１の筐体２の外面には、液晶ディスプレイ装置や有機ＥＬディスプレイ装置等の表示部３１が設けられる共に、外面先端側には携帯電話機１を把持する撮影者自身を撮影するためのカメラ５とスピーカ３２が設けられている。
また、第２の筐体３の基端には、無線通信用のアンテナ６が突出して設けられると共に、第１の筐体２との対向面には、カーソルキー、ファンクションキー、数字キー等からなるメインの入力部３４及びマイクロフォン３３を備えている。
【００１０】
図３は、携帯電話機１を第２の筐体３側から見たときの斜視図である。ここで、第２の筐体３は、フロント部３ａとリア部３ｂとに分割可能に構成されている。第２の筐体３のリア部３ｂの基端側には、撮影者が被写体を撮影する際に携帯電話機１を保持しやすくするためのグリップ７が設けられている。また、第２の筐体３内には、被写体を暗所で動画撮影する際に光源として用いるＬＥＤライト８、被写体を暗所で静止画撮影する際に光源として用いるストロボ装置９、被写体の動画及び静止画を撮影するカメラ１０、及び後述するコンデンサ２０等の電子部品に電力を供給するバッテリーセル１１が装着されている。これらＬＥＤライト８、ストロボ装置９、カメラ１０及びバッテリーセル１１は、このグリップ７から第２の筐体３の先端側の方向に向かって、これらの順でそれぞれ装着されている。また、ストロボ装置９は、後述するコンデンサ２０からの電力によって外方に閃光を照射するようになっている。
【００１１】
なお、３５，３６，３７は第２の筐体３の側面に設けられたサブの入力部としての３つのキーであり、例えば、キー３６，３７は、表示部３１に所定の選択画面が表示された状態で、選択画面中に表示される複数の選択項目の中から特定の項目を選択するために用いる。したがって、選択画面が表示された状態で、例えば、キー３６を一度押下すると、選択項目の１つ前側（若しくは１つ上側）の項目が選択され、キー３７を一度押下すると、選択項目の１つ後側（若しくは１つ下側）の項目が選択されることになる。
また、上述のように、表示部３１に選択画面が表示されると共に特定の項目が選択された状態で、キー３５を押下すると、選択された項目に対応する機能が起動することになる。さらに、閉状態においてカメラ機能が起動すると共にカメラ５又はカメラ１０によるプレビュー画面が表示部３１に表示されている状態では、キー３５がカメラ５又はカメラ１０による撮影を行う際のシャッターとしても機能する。
【００１２】
なお、２つのカメラ５，１０のうちどちらのカメラで撮影するかは、表示部３１に表示される選択画面において選択できるようになっている。
具体的には、携帯電話機１が閉状態である場合、キー３６，３７により選択画面にある複数の選択項目のうち、特定の項目であるカメラ機能を選択し、キー３５の操作によりカメラ機能を起動させる。この起動の際には、カメラ５による撮影を行うのか、カメラ１０による撮影を行うのか、若しくは、カメラ１０とストロボ装置９とを組み合わせた撮影を行うのかを確認する選択項目が表示される。ここで、キー３６，３７を操作していずれか一方のカメラ５，１０、あるいは、カメラ１０とストロボ装置９との組み合わせを選択し、キー３５を操作することにより、選択したカメラによる撮影ができるようになっている。
【００１３】
また、携帯電話機１が開状態である場合、選択画面にある複数の選択項目のうち、メインの入力部３４を構成するカーソルキーを使ってカメラ機能を選択し、カーソルキーの中央を押下することでカメラ機能を起動させる。この起動の際には、前述と同様に、カメラ５による撮影を行うのか、カメラ１０による撮影を行うのか、また、カメラ１０及びストロボ装置９を組み合わせた撮影を行うのか、を確認する選択項目が表示される。ここで、キー３６，３７を操作していずれか一方のカメラ５，１０、あるいは、カメラ１０とストロボ装置９との組み合わせを選択し、カーソルキーの中央を押下することで選択したカメラによる撮影を行うことができる。
【００１４】
グリップ７は、リア部３ｂに装着されると、図４に示すようにリア部３ｂの表面から突出するため、携帯電話機１を第１の筐体２が上側となるように平面に設置した場合には、第２の筐体３と平面とを離間させながら携帯電話機１の基端側を支持する支持部となる。このようにグリップ７が携帯電話機１を支持することによって、リア部３ｂの表面から突出したカメラ１０を平面へ接触させるのを回避できるようになっている。
【００１５】
また、図５に示すように、リア部３ｂにおいて、グリップ７を取り付ける部位には幅方向に延在した凹部１２が形成され、この凹部１２の両端にはネジ貫通孔１３が設けられ、これらネジ貫通孔１３には、それぞれフロント部３ａとリア部３ｂとを接合するためのネジ１４が取り付けられている。この凹部１２に取り付けられるグリップ７は、図６に示すように、凹部１２の幅方向の長さと同じ長さに延在しており、リア部３ｂにおいてＬＥＤライト８が装着される部位を切欠いた切欠部１５を有した形状となっている。また、グリップ７の下部には、凹部１２の側面に取り付けるための係合爪１６が複数、例えば３つ設けられている。さらに、グリップ７の下部両端には、前述のネジ貫通孔１３に係合する突起部１７が設けられている。
このグリップ７を凹部１２に取り付けることで、フロント部３ａとリア部３ｂとを接合するためのネジ１４が携帯電話機１の外部から見えなくなる。したがって、携帯電話機１のデザイン性の向上を図ることができる。
【００１６】
図７は、第２の筐体３のフロント部３ａを示した図である。フロント部３ａの内部には基板１８が設けられている。この基板１８の基端側には、ストロボ装置９から閃光を照射させるためのキセノン管１９が設けられている。また、フロント部３ａの先端側の側部には、円柱状に形成されると共にキセノン管１９及びバッテリーセル１１に電気的に接続された大容量のコンデンサ２０が設置されている。このコンデンサ２０は、バッテリーセル１１から電力を供給されて充電される。
また、フロント部３ａの先端及び基端の両側には、リア部３ｂをネジでフロント部３ａに取り付けるためのネジ穴２１がそれぞれ設けられている。このコンデンサ２０及びネジ穴２１が設置された位置において、コンデンサ２０を回避するように、基板１８には、その一部を切り欠いた切欠部２２が形成されている。すなわち、コンデンサ２０はこの切欠部２２に収容されている。
【００１７】
次に、この携帯電話機１において、暗所又は光源を要する場所でカメラ１０とストロボ装置９を使用して静止画を撮影する際、カメラ機能を起動させた後、カメラ１０とストロボ装置９との組み合わせを選択し、撮影者がキー３５を押下することで、カメラ１０が静止画を撮影すると同時に、ストロボ装置９が発光する。このとき、バッテリーセル１１によって充電されたコンデンサ２０からキセノン管１９に大電流が供給される。この場合、キセノン管１９及びコンデンサ２０が同一の筐体、すなわち第２の筐体３のフロント部３ａにまとめて搭載されていることから、大電流がフロント部３ａ内で流れることとなる。そのため、このような大電流が、第１の筐体２と第２の筐体３との間を通過して流れることはない。したがって、静止画撮影時においても、無線性能に悪影響を及ぼす等、大電流による電気的弊害を最小限に抑制することができる。
【００１８】
また、バッテリーセル１１がキセノン管１９及びコンデンサ２０と同一の筐体、すなわち第２の筐体３のフロント部３ａにまとめて搭載されていることから、コンデンサ２０の充電時においても、バッテリーセル１１からコンデンサ２０への大電流がフロント部３ａ内で流れることとなる。そのため、このような大電流が、第１の筐体２と第２の筐体３との間を通過して流れることはない。したがって、コンデンサ２０の充電時においても、無線性能に悪影響を及ぼす等、大電流による電気的弊害を最小限に抑制することができる。
【００１９】
また、コンデンサ２０が大きな体積を有しており、基板１８上に配置すると、そのコンデンサ２０の高さ分だけ第２の筐体３の高さを確保しなければならない。しかしながら、このコンデンサ２０は基板１８上に搭載しなくてもよい電子部品であるため、フロント部３ａに設置し、基板１８の一部を切欠いた位置にコンデンサ２０を配置することで、第２の筐体３の高さを低くすることが可能となる。したがって、第２の筐体３を薄く形成した携帯電話機１を実現でき、携帯電話機１のデザイン性の向上を図ることができる。
【００２０】
なお、上記実施の形態において、コンデンサ２０の周囲にゴムまたはスポンジ等の弾性部材を配置してもよい。この場合、外部からの衝撃に対してコンデンサ２０を保護する衝撃対策、及び外部からの水等の浸入に対してコンデンサ２０を保護する防水対策となる。また、この弾性部材を基板１８のコンデンサ２０近傍に取り付けることで、コンデンサ２０及び基板１８の組立性が良好となる。
【００２１】
また、上記実施の形態において、図示しないバイブレータが、第１の筐体２に設置されることが好ましい。
キセノン管１９は振動を与えられるとキセノン管１９の電極に応力がかかり、基板１８から外れやすくなる。そこで、バイブレータを第１の筐体２に設置すれば、バイブレータがキセノン管１９とは異なる筐体に設置されることとなるため、バイブレータの振動がキセノン管１９に伝達されにくくなり、キセノン管１９の機能を損なうおそれを防ぐことができる。
【００２２】
また、上記実施の形態において、撮影者自身を撮影するカメラ５と被写体を撮影するカメラ１０とを備えていることで、携帯電話機１の開閉状態に対応してこれらカメラ５及びカメラ１０のどちらで撮影するかを自動的に判断する機能を有してもよい。すなわち、携帯電話機１が閉状態において撮影する際にカメラ１０が起動し、開状態において撮影する際にカメラ５が起動するように設定できるようにしてもよい。
【００２３】
また、上記実施の形態において、第１の筐体２にＬＥＤライト８、ストロボ装置９、カメラ１０を設置してもよく、この場合、ストロボ装置９を発光させるためのキセノン管１９及びコンデンサ２０を第１の筐体２に搭載してもよい。
【図面の簡単な説明】
【００２４】
【図１】本発明における実施の形態に係る携帯電話機の斜視図である。
【図２】図１の携帯電話機において、２つの筐体を相互に閉じた状態を示す斜視図である。
【図３】図２の携帯電話機を裏側から見た斜視図である。
【図４】図２の携帯電話機の側面図である。
【図５】図３の携帯電話機のグリップを装着する前の部分拡大図である。
【図６】グリップの斜視図である。
【図７】図１の第２の筐体の内部構成を示す斜視図である。
【符号の説明】
【００２５】
１  携帯電話機（携帯端末）
２  第１の筐体（筐体）
３  第２の筐体（筐体）
３ａ  フロント部
３ｂ  リア部
５  カメラ
７  グリップ
８  ＬＥＤライト
９  ストロボ装置（照明部）
１０  カメラ
１１  バッテリーセル
１２  凹部
１８  基板
１９  キセノン管
２０  コンデンサ
２２  切欠部
【図１】
2007013498.tif 000003
【図２】
2007013498.tif 000004
【図３】
2007013498.tif 000005
【図４】
2007013498.tif 000006
【図５】
2007013498.tif 000007
【図６】
2007013498.tif 000008
【図７】
2007013498.tif 000009